(57)【特許請求の範囲】
【請求項１】
空気袋を内蔵し手首に巻き付けられるカフ帯と、少なくとも手首の拍動部側の半周に合致する湾曲形状をなすと共に前記空気袋を内周側に配した状態で前記カフ帯が装着されたカフスプリングと、このカフスプリングの掌側に設けた取付ベース部に装着され、少なくも測定内容を表示する表示部を上面に持つ血圧計本体とを備え、前記血圧計本体を、該血圧計本体の手前側より先方側が持ち上がるようにカフスプリングの軸線に対して角度を付けて前記取付ベース部に装着したことを特徴とする手首用血圧計。
【請求項２】
前記血圧計本体の下面が前記カフスプリングの湾曲形状に応じた凹面状に形成されていることを特徴とする請求項１記載の手首用血圧計。
【発明の詳細な説明】
【０００１】
【発明の属する技術分野】
本発明は、手首にカフ帯（圧迫帯）を巻いてスイッチ操作するだけで、腕まくりせずに血圧測定ができる携帯に便利な手首用血圧計に関する。
【０００２】
【従来の技術】
従来の血圧計は、一般的に、上腕にカフ帯を装着して、血圧の測定を行なうものが主流であったが、血圧の測定をオシロメトリック法で行なう血圧計が実用に供されるに従い、手首で血圧測定を行えるようにしたものが登場している（特開平２−３４１４３号公報）。
【０００３】
図４はこの種の手首用血圧計５０で血圧測定をしている様子を示す。この血圧計５０は、血圧計本体５１に、手首に巻き付けるカフ帯５２を一体化したものである。カフ帯５２には空気袋が内蔵されており、空気袋に空気を供給してこれを膨張させることにより、手首内を通っている動脈を圧迫し、血圧を測定する。測定結果は、血圧計本体５１の上面の表示部５３に表示されるので、これを測定者自身が目で見ることで測定結果を知ることができる。
【０００４】
【発明が解決しようとする課題】
ところで、この種の手首用血圧計５０は、図４に示すように、カフ帯５２を手首にしっかりと巻き付けて、掌を上にして手を軽く開き、肘を机５５の上などについて、手首を心臓５８の高さにして測定する必要があるが、そのような最適な位置で測定した場合に、従来の手首用血圧計は、測定者自身が見るのに、表示が見づらいという問題があった。特に高齢者が使用する可能性が高いことを考えると、表示はより見やすいことが望まれる。
【０００５】
本発明は、上記事情を考慮し、測定者自身にとって、より表示部が見やすくなる手首用血圧計を提供することを目的とする。
【０００６】
【課題を解決するための手段】
請求項１の発明は、空気袋を内蔵し手首に巻き付けられるカフ帯と、少なくとも手首の拍動部側の半周に合致する湾曲形状をなすと共に前記空気袋を内周側に配した状態で前記カフ帯が装着されたカフスプリングと、このカフスプリングの掌側に設けた取付ベース部に装着され、少なくも測定内容を表示する表示部を上面に持つ血圧計本体とを備え、前記血圧計本体を、該血圧計本体の手前側より先方側が持ち上がるようにカフスプリングの軸線に対して角度を付けて前記取付ベース部に装着したことを特徴とする。
【０００７】
この手首用血圧計の場合、血圧計本体を手前側に傾けて取り付けているので、適正な測定姿勢を保った状態で、測定者自身にとって表示部が見やすくなる。
【０００８】
請求項２の発明は、請求項１において、前記血圧計本体の下面が前記カフスプリングの湾曲形状に応じた凹面状に形成されていることを特徴とする。
【０００９】
この手首用血圧計の場合、血圧計本体の下面を凹面状に形成したので、凸に湾曲したカフスプリングの取付ベース部に、血圧計本体を密着して取り付けることができる。従って、血圧計本体を傾きをもって装着した状態でも、血圧計本体の装着高さを小さくすることができ、手首に付けたときの安定性の向上とコンパクト化を図ることができる。
【００１０】
【発明の実施の形態】
以下、本発明の実施形態を図面に基づいて説明する。
図１は実施形態の手首用血圧計の側面図である。この血圧計は、加圧機構、減圧機構、液晶式の表示部１１、並びにそれらの制御手段等の血圧測定のための主要機能を備えた血圧計本体１と、空気袋を内蔵し手首に巻き付けられるカフ帯２と、少なくとも手首の拍動部側の半周に合致する湾曲形状をなすと共に前記空気袋を内周側に配した状態でカフ帯２が装着されたカフスプリング３と、空気袋と血圧計本体１とを連通接続するためにカフ帯２に内蔵されたコネクタ４とからなる。
【００１１】
血圧計本体１０は、カフスプリング３の湾曲板３１の掌側に設けた取付ベース部３１ａに、ある角度αをもって装着されている。即ち、血圧計本体１は、その手前側Ａより先方側Ｂが持ち上がるように、カフスプリング３の軸線Ｌに対して所定の角度α（＝約３度）を付けて、取付ベース部３１ａに装着されている。そして、このように装着することで、カフ帯２の空気袋と血圧計本体１の給排管路とがコネクタ４で接続されている。
【００１２】
血圧計本体１の外装ケース１０は、上ケース１０ａと下ケース１０ｂとからなり、両者は合体して、内部に血圧測定のための主要機能部分を収容している。表示部１１は上ケース１０ａの上面に設けられ、手前側Ａから見て適正表示となるよう、上下関係が設定されている。表示する内容としては、測定結果である最高血圧、最低血圧、脈拍等が上げられる。これらは、デジタル表示される。
【００１３】
図２は血圧計本体１の外観を示す。表示部１１は図２（ａ）に示すようにケース１０の先方側Ｂに寄せて配置され、その手前側にスイッチ類１２が配置され、側部に電池ケース１３が配置されている。また、図２（ｂ）に示すように、ケース１０の下面は、カフスプリング３の取付ベース部３１ａの湾曲形状に合致する凹曲面１５となっており、取付ベース部３１ａに密着して取り付けられている。このことは、前述のように血圧計本体１を角度を付けて取付ベース部３１ａに装着すると、血圧計本体１が浮き上がった感じになり不安定になるのを防ぐ役目を果たしている。
【００１４】
図３はカフスプリング３の詳細を示す図である。このカフスプリング３は、弾性を有する合成樹脂で成形されており、主体となる湾曲板３１を有する。湾曲板３１は、一部が途切れた３／４周程度の楕円弧状のもので、掌側に相当する周方向中心部に取付ベース部３１ａを有する。取付ベース部３１ａには、血圧計本体１に対して装着角度αを付けるための２つの突起３２、３３と、コネクタ４の連通管を挿入するための円形の開口３４、３５と、血圧計本体１のケース１０を係合するための複数の係合爪３６及びネジ止め片３７とが形成されている。前記突起３２、３３は、血圧計本体１のケース１０の下面形状に合わせた円弧状をなしており、血圧計本体１に装着角度αを付けるため、高さが違えてある。従って、この突起３２、３３に血圧計本体１の下面の凹曲面１５を当接させることで、血圧計本体１が所定角度αだけ手前側Ａに傾いて取り付けられている。
【００１５】
次に作用を説明する。
血圧を測定する場合は、カフスプリング３に装着したカフ帯２を手首にしっかりと巻き付けて、カフ帯２に設けた図示略の面ファスナーで固定する。そして、掌を上にして手を軽く開き、肘を机などの上について、手首を心臓の高さにしてから、スイッチをＯＮする。
【００１６】
そうすると、血圧計本体１からカフ帯２の空気袋に空気が供給され、空気袋が膨張することで、手首内を通っている動脈が圧迫される。そして、この状態から所定の経過で血圧が測定される。測定結果は、血圧計本体１の上面の表示部１１に表示されるので、これを測定者自身が目で見ることにより測定結果を知ることができる。この場合、血圧計本体１は手前側Ａに傾いて取り付いているので、適正な測定姿勢を保った状態で測定者自身にとって表示部１１が見やすくなる。
【００１７】
なお、この血圧計では、血圧計本体１の下面が凹曲面１５となっており、凸に湾曲したカフスプリング３の取付ベース部３１ａに血圧計本体１が密着して取り付いているので、血圧計本体１が手前側Ａに傾いているものの、安定性がよく、装着高さが低くなり、コンパクト化されている。
【００１８】
【発明の効果】
以上説明したように、請求項１の発明によれば、血圧計本体を手前側に傾けて取り付けているので、適正な測定姿勢を保った状態で、測定者自身にとって表示部が見やすくなる。
【０００８】
また、請求項２の発明によれば、血圧計本体の下面を凹面状に形成しているので、凸に湾曲したカフスプリングの取付ベース部に、血圧計本体を密着して取り付けることができる。その結果、血圧計本体が手前側に傾いて取り付いているものの、装着高さが低くなり、手首に付けたときの安定性の向上とコンパクト化を図ることができる。
【図面の簡単な説明】
【図１】本発明の実施形態の手首用血圧計の一部断面で示す側面図である。
【図２】図１の血圧計の血圧計本体１の外観を示す図で、（ａ）は平面図、（ｂ）は（ａ）図のＩＩｂ−ＩＩｂ矢視図である。
【図３】図１の血圧計のカフスプリング３の構成図で、（ａ）は平面図、（ｂ）は側面図、（ｄ）は（ａ）図のＩＩＩｃ−ＩＩＩｃ矢視断面図である。
【図４】従来の手首用血圧計で血圧を測定している様子を示す図である。
【符号の説明】
１  血圧計本体
２  カフ帯
３  カフスプリング
１１  表示部
３１ａ  取付ベース部
１５  凹面部
【図１】
0003853973.tif 000002
【図２】
0003853973.tif 000003
【図３】
0003853973.tif 000004
【図４】
0003853973.tif 000005